(57)【特許請求の範囲】
【請求項１】
第一の直線方向へのスライド操作により、容器本体側の内容物が、弁作用および内容物通過作用を呈するステムの下流側の放出口から外部空間域に放出される直線スライド操作式の内容物放出機構であって、
前記スライド操作が行われていない静止モードのとき前記放出口およびその周辺部分を覆ってこれに密接し、この前記周辺部分も含む範囲の密接作用により前記放出口のシール状態を設定する天井面、および前記スライド操作にともない前記放出口との対向状態にシフトして前記外部空間域への内容物放出作用を呈する開口部分が、形成された直線スライド操作部と、
前記ステムおよび前記放出口を連通させる筒状通路域を有し、かつ、前記スライド操作にともない前記天井面から離間して前記ステムの弁作用部を開状態に設定するための第二の方向に駆動されるボタン作動部と、
前記容器本体側に取り付けられて、
前記直線スライド操作部の前記第一の直線方向への移動を案内する案内作用部、および前記スライド操作にともなう前記ボタン作動部の前記第二の方向への移動をなしえるための開口域を持つカバー体と、を備え、
前記直線スライド操作部は、
前記第一の直線方向における静止モード位置へ弾性部材により付勢されている、
ことを特徴とする直線スライド操作式の内容物放出機構。
【請求項２】
前記直線スライド操作部は、
前記スライド操作に用いられる操作曲面を備え、
前記カバー体は、
作動モード設定時の前記直線スライド操作部の移動線と同じ直線上で前記操作曲面との対応部分に、前記スライド操作のときに前記操作曲面とともに利用者把持部として作用する壁状起立部を備えている、
ことを特徴とする請求項１記載の直線スライド操作式の内容物放出機構。
【請求項３】
前記直線スライド操作部は、
前記スライド操作にともない前記ボタン作動部を前記第二の方向へ移動させる駆動カム部分を備え、
前記ボタン作動部は、
前記駆動カム部分に対応する従動カム部分を備えている、
ことを特徴とする請求項１または２記載の直線スライド操作式の内容物放出機構。
【請求項４】
前記第一の直線方向は、
水平直線方向であり、
前記第二の方向は、
上下直線方向であり、
前記放出口は、
上向き放出口である、
ことを特徴とする請求項１乃至３のいずれかに記載の直線スライド操作式の内容物放出機構。
【請求項５】
前記弾性部材は、
前記直線スライド操作部と前記ボタン作動部との間に配設されている、
ことを特徴とする請求項１乃至４のいずれかに記載の直線スライド操作式の内容物放出機構。
【請求項６】
前記弾性部材は、
前記直線スライド操作部と一体成形されて、その自由端部分が前記ボタン作動部の外面に当接した状態で保持されるＵ字状の板バネである、
ことを特徴とする請求項５記載の直線スライド操作式の内容物放出機構。
【請求項７】
請求項１乃至請求項６のいずれかに記載の内容物放出機構を備え、かつ、容器本体に噴射用ガスおよび内容物を収納した、
ことを特徴とするエアゾール式製品。
【請求項８】
請求項１乃至請求項６のいずれかに記載の内容物放出機構体を備え、かつ、容器本体に内容物を収納した、
ことを特徴とするポンプ式製品。
【発明の詳細な説明】
【技術分野】
【０００１】
本発明は、作動モードを設定する直線スライド操作部の内容物放出操作により容器本体側の内容物が放出口から外部空間域に放出される内容物放出機構や、この内容物放出機構を備えたエアゾール式製品およびポンプ式製品に関する。
【０００２】
特に静止モードのとき、直線スライド操作部で内容物の放出口を覆ってシャットオフの保護状態に設定し、さらには放出口自体をシールするようにした直線スライド操作式の内容物放出機構に関する。
【０００３】
本明細書では、前後左右の位置関係について、操作曲面９ｅの側を「前」、それとは反対の例えば円弧壁状起立部７ａ，後内側斜面９ｇの側を「後」と記す。この前後方向と直交する方向を「左右」，「横」とする。例えば図１および図２は前後方向の断面図であり、板バネ９ｆは左右方向の幅を有している、となる。また、上下方向を「縦」ともいう。
【背景技術】
【０００４】
本件出願人は、静止モードのとき、ドーム状のいわば曲線スライド操作部などで内容物放出口をシャットオフして保護し、この操作部の作動モード設定操作にともなう曲線スライドにより内容物放出口などが露出して、ステムが作動モード位置へと下動し、
また、作動モード設定操作の解除にともない曲線スライド操作部が弾性部材の作用により静止モード位置へ自動復帰する内容物放出機構を提案している（特許文献１参照）。
【０００５】
この内容物放出機構においては、ドーム状のカバー体に沿って移動する形で同じくドーム状の曲線スライド操作部を用いている。
【先行技術文献】
【特許文献】
【０００６】
【特許文献１】国際公開第２０１１／１１１２４４号
【発明の概要】
【発明が解決しようとする課題】
【０００７】
上述したように、提案済みの内容物放出機構は、静止モードのとき、ドーム状の曲線スライド操作部で内容物放出口およびその周辺域を覆って保護し、この操作部への、弾性力に抗しながらの曲線スライド操作により内容物放出口が露出し、かつ、曲線スライド操作解除にともない静止モードに自動復帰するという利点を備えたものである。
【０００８】
本発明では、このような利点を備えた内容物放出機構を直線スライド操作タイプの場合にも具体的に類推適用して、直線スライド操作式の内容物放出機構における内容物放出口の保護作用の確実化を図ることを目的とする。
【０００９】
また、静止モード位置の直線スライド操作部で放出口に対するシール作用もおこない、これにより内容物放出口近くの内容物通路部における残留内容物の固化防止化を図り、この放出口からの内容物の垂れ現象の発生防止化を図ることを目的とする。
【００１０】
また、直線スライド操作部を用いることにより、例えば水平方向のスライド操作と、垂直方向の静止モード・作動モード間のステム移動との変換カム作用のスムーズ化を図り、図示のステムとは異なるストレートシャンクステムを用いる際には「こじれ」によるシール不良及び作動不良の抑制化を図ることを目的とする。
【００１１】
また、作動モード設定時の直線スライド操作部の移動線と同じ直線上のカバー体対応部分に、壁状起立部を、この可動操作部とはいわば一対で固定の把持対象部の形で設けることにより、作動モード設定時の直線スライド操作の利便化を図ることを目的とする。
【課題を解決するための手段】
【００１２】
本発明は、以上の課題を次のスライド操作式内容物放出機構を用いることにより解決する。
（１）第一の直線方向（例えば水平方向）へのスライド操作により、容器本体側(例えば後述の容器本体１)の内容物が、弁作用および内容物通過作用を呈するステム(例えば後述のステム４)の下流側の放出口(例えば後述の上向き放出口８ｂ)から外部空間域に放出される直線スライド操作式の内容物放出機構であって、
前記スライド操作が行われていない静止モードのとき前記放出口およびその周辺部分を覆ってこれに密接し、この前記周辺部分も含む範囲の密接作用により前記放出口のシール状態を設定する天井面(例えば後述の天井面９ａ)、および前記スライド操作にともない前記放出口との対向状態にシフトして前記外部空間域への内容物放出作用を呈する開口部分(例えば後述の開口部分９ｂ)が、形成された直線スライド操作部(例えば後述の直線スライド操作部９)と、
前記ステムおよび前記放出口を連通させる筒状通路域(例えば後述の筒状通路域８ａ)を有し、かつ前記スライド操作にともない前記天井面から離間して前記ステムの弁作用部(例えば後述のステム孔部４ｂ)を開状態に設定するための第二の方向（例えば上下方向）に駆動されるボタン作動部（例えば後述のボタン作動部８）と、
前記容器本体側に取り付けられて、
前記直線スライド操作部の前記第一の直線方向への移動を案内する案内作用部（例えば後述の案内作用部７ｅ）、および前記スライド操作にともなう前記ボタン作動部の前記第二の方向への移動をなしえるための開口域（例えば後述の開口域７ｂ）を持つカバー体（例えば後述のカバー体７）と、を備え、
前記直線スライド操作部は、
前記第一の直線方向における静止モード位置へ弾性部材（例えば後述の板バネ９ｆ）により付勢された、
構成態様のものを用いる。
（２）上記（１）において、
前記直線スライド操作部は、
前記スライド操作に用いられる操作曲面（例えば後述の操作曲面９ｅ）を備え、
前記カバー体は、
作動モード設定時の前記直線スライド操作部の移動線と同じ直線上で前記操作曲面との対応部分に、前記スライド操作のときに前記操作曲面とともに利用者把持部として作用する壁状起立部（例えば後述の円弧壁状起立部７ａ）を備えた、
構成態様のものを用いる。
（３）上記（１），（２）において、
前記直線スライド操作部は、
前記スライド操作にともない前記ボタン作動部を前記第二の方向へ移動させる駆動カム部分（例えば後述の斜面駆動カム部分９ｄ）を備え、
前記ボタン作動部は、
前記駆動カム部分に対応する従動カム部分（例えば後述の斜面従動カム部分８ｃ）を備えた、
構成態様のものを用いる。
（４）上記（１）〜（３）において、
前記第一の直線方向は、
水平直線方向であり、
前記第二の方向は、
上下直線方向であり、
前記放出口は、
上向き放出口である、
構成態様のものを用いる。
（５）上記（１）〜（４）において、
前記弾性部材は、
前記直線スライド操作部と前記ボタン作動部との間に配設されている、
構成態様のものを用いる。
（６）上記（５）において、
前記弾性部材は、
前記直線スライド操作部と一体成形されて、その自由端部分が前記ボタン作動部の外面に当接した状態で保持されるＵ字状の板バネである、
構成態様のものを用いる。
【００１３】
本発明は、このような構成からなる直線スライド操作式の内容物放出機構や、前記内容物放出機構を備えて後述の噴射用ガス，内容物などを収容したエアゾール式製品および前記内容物放出機構を備えて後述の内容物などを収容したポンプ式製品を対象とする。
【発明の効果】
【００１４】
本発明は以上の課題解決手段をとることにより、
(11)直線スライド操作式の内容物放出機構における内容物放出口の保護作用の確実化を図ることができ、
(12)内容物放出口近くの内容物通路部における残留内容物の固化防止化を図り、この放出口からの内容物の垂れ現象の発生防止化を図ることができ、
(13)例えば水平方向のスライド操作と、垂直方向の静止モード・作動モード間のステム移動との変換カム作用のスムーズ化を図り、図示のステムとは異なるストレートシャンクステムを使用した際には「こじれ」によるシール不良及び作動不良の抑制化を図ることができ、
(14)例えば後述の円弧壁状起立部７ａおよび操作曲面９ｅの併用により作動モード設定時の直線スライド操作の利便化を図ることができる。
【図面の簡単な説明】
【００１５】
【図１】初期位置の直線スライド操作部によってボタン作動部の上向き放出口がシャットオフされ、かつシールされた状態の静止モードを示す説明図である。
【図２】図１の直線スライド操作部の図示左側への直線方向移動により設定される、上向き放出口が外部空間域に露出し、かつ、この上向き放出口を有するボタン操作部がステムとともに下方向に駆動された状態の、エアゾール作動モードを示す説明図である。
【図３】直線スライド操作部，ボタン作動部，カバー体，ステムおよび容器本体などの関連構成を示す説明図である。
【発明を実施するための最良の形態】
【００１６】
図１乃至図３を用いて本発明を実施するための最良の形態を説明する。
【００１７】
上述したように本発明はエアゾール式製品およびポンプ式製品を対象としているが、以下の記載では、単なる説明の便宜上エアゾール式製品の場合を前提とする。
【００１８】
なお、以下のアルファベット付き参照番号の構成要素（例えばステム通路部４ａ）は原則として、この参照番号数字部分の構成要素（例えばステム４）の一部または関連部分であることを示している。
【００１９】
図１乃至図３において、
１は後述の内容物および噴射用ガスを収納した周知の容器本体，
２は容器本体１の開口端部側に取り付けられた周知のマウンティングカップ，
２ａはマウンティングカップ２の外側下端域に設定されて、それと容器本体１との間に後述の環凸状部７ｆが強く係合するアンダーカット，
３はマウンティングカップ２に係合保持されて、容器本体１から外部空間域への放出対象内容物が貯留・通過し、また後述のステム４の下側部分が配設されるハウジング，
をそれぞれ示している。
【００２０】
また、
４は周知のエアゾールバルブ機構の構成要素であって後述のコイルスプリング５の弾性力により上方向に付勢され、弁作用および内容物通過作用を呈する上下動可能なステム，
４ａは内容物通過用のステム通路部，
４ｂはステム４外周面のくびれ部分に設けられて、作動モードにおいてステム通路部４ａをハウジング３の内部空間域と連通させる弁作用部（バルブ作用部）として作用するステム孔部，
５はハウジング３の内部空間域に配設されてステム４を上方向に付勢するコイルスプリング，
６は外端側部分がマウンティングカップ２とハウジング３の上端面部分とに挟持されて、ステム孔部４ｂを、ステム初期位置の静止モードにおける閉状態と、ステム下動位置の作動モードにおける開状態とに選択的に設定する環状で周知のステムガスケット，
をそれぞれ示している。
【００２１】
また、
７はマウンティングカップ２のアンダーカット２ａに強く係合して、後述の直線スライド操作部９の前後直線方向に対しての移動案内作用や、後述のボタン作動部８の上下直線方向に対しての移動案内・保護作用を呈する天板付き筒状のカバー体，
７ａはカバー体７の上面後端部分に形成されて、後述の直線スライド操作部９の後方への直線スライド操作時に操作曲面９ｅとともに利用者把持部として作用する円弧壁状起立部，
７ｂはカバー体７の天板部分に形成されて、上述の移動案内作用や移動案内・保護作用を呈するための開口域，
７ｃは開口域７ｂの一部を構成する前後両側部分であって、後述のボタン作動部８の前端および後端の各部分を案内・保護する一対の前後広がり開口域，
７ｄは開口域７ｂの一部を構成する左右両側部分であって、後述の斜面従動カム部分８ｃの上下動を許容する一対の左右広がり開口域，
７ｅは左右広がり開口域７ｄそれぞれの天板開口左右端部分からなるいわばレール相当の一対の案内作用部，
７ｆはカバー体７の内周面下端側に形成されて、マウンティングカップ２のアンダーカット２ａに強く係合した形の環凸状部，
をそれぞれ示している。
【００２２】
また、
８はステム４に取り付けられて、後述の直線スライド操作部９の前後直線方向のスライド操作にともない、カバー体７の開口域７ｂに案内されながら初期上動状態の静止モード位置と最下動状態の作動モード位置との間で、第二の方向としての上下直線方向に移動しえるボタン作動部，
８ａはボタン作動部８の内部上下方向に形成された内容物放出用の筒状通路域，
８ｂは筒状通路域８ａの上先端側に設定された放出口としての上向き放出口，
８ｃはボタン作動部８の左右側面それぞれに前方下り傾斜態様で形成されて、後述の直線スライド操作部９との間で作動モード設定のカム作用を呈する一対の従動カム部分としての斜面従動カム部分，
８ｄはボタン作動部８の前側面部分に形成されて、後述の板バネ９ｆの自由端側が、その横方向位置決め状態を確保する形で収容保持される上下方向凹状部，
８ｅは上下方向凹状部８ｄの後側構成面であって、後述の板バネ９ｆの自由端が当接する円筒外周面状の前凸状起立曲面，
８ｆは静止モードにおいて、後述の直線スライド操作部９の後内側斜面９ｇを当接保持するボタン作動部８の後外側斜面，
８ｇは静止モードにおいて、後述の直線スライド操作部９の天井面９ａに当接保持されるボタン作動部８の上端面，
をそれぞれ示している。
【００２３】
また、
９はカバー体７に案内されながらの、初期状態の静止モード位置から後方への第一の直線方向としての水平方向へのスライド操作により、ボタン作動部８およびこれと一体のステム４を下方の作動モード位置へ駆動する、筒状で天井面付きの直線スライド操作部，
９ａは静止モードのとき上向き放出口８ｂおよびその周辺部分などを覆い、これに密接してこの上向き放出口のシール状態およびシャットオフ状態を設定する天井面，
９ｂは利用者が直線スライド操作部９を後方向にスライド操作した作動モードにおいて上向き放出口８ｂを外部空間域に露出させる形の開口部分，
９ｃは直線スライド操作部９の左右側面下端側に形成されて、カバー体７の案内作用部７ｅに係合しながら前後方向に移動し、その前後端部と左右広がり開口域７ｄの前後端部との当接作用により直線スライド操作部９の移動範囲を設定する凹状の直線被ガイド部分，
９ｄは直線スライド操作部９の左右内側面に凸状部態様で形成されて、ボタン作動部８の斜面従動カム部分８ｃをそれぞれ静止モード位置から作動モード位置へ下方に駆動する一対の駆動カム部分としての斜面駆動カム部分，
９ｅはカバー体７の円弧壁状起立部７ａの外周面などを把持した利用者が自らの指を引っ掛けやすい態様で直線スライド操作部９の前面側に形成された、上下方向の緩い凹み形状の操作曲面，
９ｆは開口部分９ｂの前端側から後方に連続形成されて、その自由端がボタン作動部８の前凸状起立曲面８ｅに当接する弾性部材としての上開口Ｕ字状の板バネ，
９ｇは静止モードにおいて、ボタン作動部８の後外側斜面８ｆに当保持される直線スライド操作部９の後内側斜面，
をそれぞれ示している。
【００２４】
ここで、ハウジング３，ステム４，カバー体７，ボタン作動部８および直線スライド操作部９は例えばポリプロピレン，ポリエチレン，ポリアセタール，ナイロン，ポリブチレンテレフタレートなどからなるプラスチック製のものである。
【００２５】
また、容器本体１やマウンティングカップ２は金属製のものであり、コイルスプリング５は金属製，プラスチック製のものであり、ステムガスケット６はゴム製，プラスチック製のものである。
【００２６】
図示の内容物放出機構の組立て手順は例えば（図３参照）、
(21)凹状の直線被ガイド部分９ｃを案内作用部７ｅに係合させて、直線スライド操作部９を上方からカバー体７に取り付けて、
(22)上記(21)のカバー体７の下方からボタン作動部８を直線スライド操作部９の内側に挿入し、
(23)上記(22)で組みたてた後のカバー体７の環凸状部７ｆをアンダーカット２ａに係合させてマウンティングカップ２に取り付ける、このとき筒状通路域８ａの下端側がステム４の上端に嵌合してステム通路部４ａと筒状通路域８ａとが連通する、
ようにする。
【００２７】
図１の静止モードでは、ステム孔部４ｂの流入側がステムガスケット６で閉塞され、かつ、ボタン作動部８の上向き放出口８ｂが直線スライド操作部９の天井面９ａによりシール状態でシャットオフされている。上向き放出口８ｂは外部空間域に露出していない。
【００２８】
そのため容器本体１の収容内容物がステム孔部４ｂからステム通路部４ａに流入することはなく、また前回の内容物放出操作の終了後にステム通路部４ａ，筒状通路域８ａや上向き放出口８ｂでの残留内容物が外部空間域などに流出することもない。
【００２９】
ステム孔部４ｂの流入側が閉塞されるのは、ステム４が、コイルスプリング５の弾性作用により上動した静止モード位置に設定されているからである。また、上向き放出口８ｂがシール状態に保持されるのは、直線スライド操作部９が、板バネ９ｆの弾性作用により図示右側直線方向に前進した静止モード位置に設定されているからである。
【００３０】
図１の静止モード位置のステム４およびボタン作動部８は、ステム孔部４ｂの流入側環凹状部が、無変形で水平状態のステムガスケット６の中央開口部分と係合当接し、かつ、ボタン作動部８の上端面８ｇが直線スライド操作部９の天井面９ａに当接している。
【００３１】
また、静止モード位置の直線スライド操作部９は、その後内側斜面９ｇがボタン作動部８の後外側斜面８ｆに当接している。
【００３２】
図１の静止モードから図２の作動モードへの移行動作の基本的特徴は、
(31)利用者が、先ずカバー体７の円弧壁状起立部７ａ（固定部分）と直線スライド操作部９の操作曲面９ｅ（直線スライド部分）との各外面部分に指をかけて把持し、
(32)この把持状態での操作曲面９ｅに対する、板バネ９ｆの前方向弾性力に抗しつつカバー体７の案内作用部７ｅにガイドされながらの直線状の後方引き操作にともなって、上向き放出口８ｂが外部空間域に露出し、
(33)かつ、この直線状の後方引き操作により直線スライド操作部９の斜面駆動カム部分９ｄがボタン作動部８の斜面従動カム部分８ｃを押し下げ、すなわちボタン作動部８と一体のステム４をコイルスプリング５の上方向弾性力に抗する形で下動させ、
(34)このステム４の下動により、ステム孔部４ｂおよびステムガスケット６からなるバルブ作用部がそれまでの閉状態から開状態にシフトして、内容物放出状態の図２の作動モードが設定される、
ことなどである。
【００３３】
上記(31)の固定部分としての円弧壁状起立部７ａおよび可動部分としての操作曲面９ｅは作動モード設定の直線スライド操作部９の移動線と同じ直線上に設定されている。これにより利用者の直線スライド操作の簡単化を図っている。
【００３４】
また、作動モード設定操作にともなうステム４の移動方向はその長手方向（上下方向）に設定されている。すなわち静止モードから作動モードへの移行時にステム４が傾くようなことはなく、これにより作動モードのステムガスケット６の中央部分に不均一な変形が生じるのを抑えている。
【００３５】
図２の作動モードから図１の静止モードへの復帰動作の基本的特徴は、
(41)直線スライド操作部９は、利用者が後直線方向へのスライド操作を終えることにより板バネ９ｆの弾性作用で前方向に直線移動し、
(42)これと略同時に、ステム４およびこれと一体のボタン作動部８がコイルスプリング５の弾性力により上方向へ復帰し、
(43)このステム４などの上動復帰により、ステム孔部４ｂがステムガスケット６で閉塞されてボタン作動部８の上向き放出口８ｂが直線スライド操作部９の天井面９ａで覆われてシールされる、
ことなどである。
【００３６】
図２の作動モードにおける内容物噴射経路は、概略「容器本体１−ハウジング３の内部空間域−ステム孔部４ｂ−ステム通路部４ａ−ボタン操作部８の筒状通路域８ａ−上向き放出口８ｂ−直線スライド操作部９の開口部分９ｂ」となる。
【００３７】
本発明が、図示の実施形態に限定されないことは勿論であって例えば、
(51)ステム４としてストレートシャンクステムを用いる、
(52)カバー体７の円弧壁状起立部７ａを省略する、
(53)直線スライド操作部９の直線スライド操作方向を図示の水平方向とは異なる任意の方向に設定する、
(54)板バネ９ｆを直線スライド操作部９ではなくボタン作動部８の方に設け、そのときの板バネ自由端部分を直線スライド操作部９で受ける、
(55)カバー体７の案内作用部７ｅと直線スライド操作部９の直線被ガイド部分９ｃとの凹凸関係を逆に設定する、
(56)板バネ９ｆに代えてコイルスプリングなどの任意の弾性部材を用いる、
ようにしてもよい。
【００３８】
本発明が適用されるエアゾール式製品，ポンプ式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００３９】
容器本体に収納する内容物としては、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００４０】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロースおよびこれらの混合物などを用いる。
【００４１】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００４２】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００４３】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００４４】
高分子化合物としては、メチルセルロース，ゼラチン，デンプン，カゼイン，ヒドロキシエチルセルロース，キサンタンガム，カルボキシビニルポリマーなどを用いる。
【００４５】
各用途に応じた有効成分としては、サリチル酸メチル，インドメタシンなどの消炎鎮痛剤、安息香酸ナトリウム，クレゾールなどの除菌剤、ピレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００４６】
さらに、上記内容物以外の、懸濁剤，紫外線吸収剤，乳化剤，保湿剤，酸化防止剤、金属イオン封鎖剤なども用いることができる。
【００４７】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００４８】
１：容器本体
２：マウンティングカップ
２ａ：アンダーカット
３：ハウジング
【００４９】
４：ステム
４ａ：ステム通路部
４ｂ：ステム孔部
５：コイルスプリング
６：ステムガスケット
【００５０】
７：カバー体
７ａ：円弧壁状起立部
７ｂ：開口域
７ｃ：前後広がり開口域
７ｄ：左右広がり開口域
７ｅ：案内作用部
７ｆ：環凸状部
【００５１】
８：ボタン作動部
８ａ：筒状通路域
８ｂ：上向き放出口
８ｃ：斜面従動カム部分
８ｄ：上下方向凹状部
８ｅ：前凸状起立曲面
８ｆ：後外側斜面
８ｇ：上端面
【００５２】
９：直線スライド操作部
９ａ：天井面
９ｂ：開口部分
９ｃ：凹状の直線被ガイド部分
９ｄ：斜面駆動カム部分
９ｅ：操作曲面
９ｆ：板バネ
９ｇ：後内側斜面
【図１】
0006703838.tif 000002
【図２】
0006703838.tif 000003
【図３】
0006703838.tif 000004